(57)【要約】  ＴＶ制作のための総合多重カメラ記録編集システムである。このシステムは、すべてのカメラからのテイクを磁気記録媒体上に記録するとともに、ディレクタによるテイクの選択の後にマスタ・テープが生成される。加えて、ビデオ・ミキサからのカメラ選択信号（「カメラ・タリー出力」）を使用して、制作のオリジナル記録の編集セクションにより直接に使用可能な内部編集決定リストを自動的に生成して編集処理を容易にし速度を向上させる。
2006529068.tif 000002
【特許請求の範囲】
【請求項１】
多重カメラによりＴＶ制作を記録し編集するシステム（１０）であって、
シーンまたは他のビデオ画像ソースの様々な視点（２１−１、２１−２、…、２１−ｎ）の出力を供給するビデオ画像の多重ソース（２２−１、２２−２、…、２２−ｎ）と、
入力信号セレクタ（３０）と、
データ記憶システム（４０）であって、多重ソース、およびビデオ・ミキサ（２０）とオーディオ・ミキサ（８０）からの全ての出力をランダム・アクセス磁気記憶媒体（４４）に記憶するテイク記憶システム（４０）と、
テイク記憶システムに記憶された資料を使用して、また適当なソフトウエアを使用してビデオ制作から編集済みフォームを生成するビデオ記憶エディタ（５０）とを含むシステム（１０）であって、
テイク記憶システム（４０）は、ビデオ・ミキサ（２０）からカメラ選択信号（２５−１、２５−２、…、２５−ｎ）を受信し、その信号を使用してビデオ記憶エディタ（５０）により直接に使用し、または互換性のある形式の外部処理システムに利用可能である編集決定リスト（１００）を生成するいことを特徴とする前記システム。
【請求項２】
請求項１記載のシステムであって、前記編集決定リスト（１００）は、ソース間の遷移のモードに関する追加情報を含むことを特徴とする前記システム。
【請求項３】
請求項１または２記載のシステムであって、前記テイク記憶システム（４０）の制御機能は、全ての１つの制御ステーション（６０）から遂行され、いずれかのＴＶセットのドロップ・ダウン・メニュの形式で表示可能であり、制御ステーション（６０）からジョグ／シャトル制御ボックスにより制御されることを特徴とする前記システム。
【請求項４】
請求項１から３のいずれかに記載のシステムであって、前記ビデオ画像・ソースおよびオーディオ・ソースから引き出される一次資料は、記憶時にツリー類似の構成で階層的に組織化されることを特徴とする前記システム。
【請求項５】
請求項１から３のいずれかに記載のシステムであって、特定のインシデントに関して定義されたタイム・インターバルのツリー類似の構成にラベルを付し階層的に組織化して、独立した編集決定リスト・ファイル（１００）の選択的記憶のためのポテンシャルを提供することを特徴とする前記システム。
【発明の詳細な説明】
【技術分野】
【０００１】
本発明は、ビデオ記録の分野に向けられ、特に、一次ビデオ・フィルムを記録および処理（編集）する手順に向けられる。
【背景技術】
【０００２】
ＴＶプログラムの制作は、手間および時間のかかる手順を必要とする。したがって、最初に遂行されるのは、通常、多重カメラから、たとえば、テレビの連続ドラマ、コマーシャル、ゲームなどのＴＶプログラムの「テイク」を撮影することである。制作のディレクタは、多重カメラからの複数のテイクの間から使用されるテイクを選択する。
【０００３】
選択されたテイクのシーケンスは、磁気媒体上に記録され、これは、典型的には制作の最初のマスタ・テープを構成するビデオ・テープである。同時に全てのカメラからの全てのショットは、追加ビデオ・テープ上に別々に記録される。撮影の仕事日の一日の終わりには、これらの資料は、全て後制作（編集）室に運ばれて、そこで制作の最終処理、すなわち、修正、削除、追加および視点の変更が遂行される。これらの手順は、すべて、時間がかかり遂行するのにかなり困難であって、変更中に種々のテイクの間で完全な同期を必要とする。
【０００４】
さらに、新しい（「ノン・リニア」）編集システムにおいては、テープとハード・ディスクの間およびその逆のビデオ・データの多重転送が画像品質を劣化させる。
【０００５】
米国特許Nｏ.２００２２０１７５９３１Ａ1（Hｏｌｚ他）は、先にＴＶ制作を組織し記録時に実行される「シナリオ」を生成するシステムを開示する。これは、ＴＶ制作の後制作段階に関係せず、生成するスクリプト・ファイルは、なま制作段階中になされる決定を含まない。さらに、これは、全てのソースからの一次資料の記録およびツリー構成における階層組織を開示しない。
【０００６】
ヨーロッパ特許出願Ｎｏ.ＥＰ０４２４９０３Ａ２（ＮＥＣ）から、コンパクト・ディスクまたは類似の磁気記録媒体におけるビデオまたはオーディオ・データの組織化方法が知られる。この方法は、決定的かつ移動可能に記録されるデータおよび後制作段階跡の組織化に関係し、制作の配布段階に向けられ、なま制作および後編集段階に向けられていない。
【発明の開示】
【発明が解決しようとする課題】
【０００７】
本発明の目的は、上記の不利な点を克服することである。とくに本発明は、全制作時間が著しく削減されたＴＶ制作の記録および編集システムを提案する。
【０００８】
さらに本発明は、記録の編集の手順が大きく容易にされるＴＶ制作の記録および編集システムを提案する。
【０００９】
さらに本発明は、改良された画像品質を与えるＴＶ制作の記録および編集システムを供給する。
【課題を解決するための手段】
【００１０】
したがって、本発明は、多重カメラを有するＴＶ製作の記録および編集の総合システムからなり、
シーンまたは他のビデオ画像ソースの種々の視点の出力を供給するビデオ画像の多重ソースと、
入力信号セレクタと、
オプションとして多重出力チャネルを有するオーディオ・ミキサと、
ビデオ・ミキサであって、ビデオ画像の多重ソースから種々の視点を受け取って、入力信号セレクタにより選択されるソースの視点を出力において供給するビデオ・ミキサと、
多重ソースおよびビデオ・ミキサおよびオーディオ・ミキサからの出力の全てを１つのランダム・アクセス磁気記憶媒体上に記憶できるテイク記憶システムと、
テイク記憶システムに記憶された資料を使用し適当なソフトウエアを用いて、ビデオ制作の編集されたフォームを生成することができるビデオ記録エディタとを含み、
テイク記憶システムがビデオ・ミキサからカメラ選択信号を受信して、その信号を使用してビデオ記録エディタにより直接に使用可能な又は外部処理システムに利用可能な編集決定リストを形成することを特徴とする総合システムである。
【実施例】
【００１１】
図１は、本発明の記憶編集システムの好ましい実施例の略図を示す。番号１０で全体を示すシステムは、多重ビデオ・ソース２２−１、２２−２、…、２２−ｎからの出力信号２１−１、２１−２、…、２１−ｎを受信するビデオ・ミキサ２０を含む。各ビデオ・ソース信号は、１つの異なった視点（「アングル」）を示す。
【００１２】
ビュー・セレクタ３０の１つの点は、これらの出力信号２１−１、２１−２、…、２１−ｎの間から制作のオリジナルに使用される１つを選択する。選択された出力は、ビデオ・ミキサ２０から信号出力２３として送信される。同時に、ビデオ・ミキサ２０は、さらに全てのカメラ（または他のビデオ・ソース）２２−１、２２−２、…、２２−ｎから出力信号２４−１、２４−２、…、２４−ｎを送信する。さらに、ビデオ・セレクタは、各ビデオ・カメラ２５−１、２５−２、…、２５−ｎについて、状態表示（「タリー出力」、選択／非選択／遷移）を送信する。このシステムは、一般的に、多重出力チャネルを有するオーディオ・ミキサ８０を含む。
【００１３】
テイク記憶システム４０は、適当な信号入力４１、４２−１、４２−２、…、４２−ｎにおいて選択された信号出力２３およびビデオ・カメラからの対応する出力信号２４−１、２４−２、…、２４−ｎを受信する。さらに、テイク記憶システム４０は、入力４３−１、４３−２、…、４３−ｎにおいて対応する状態表示２５−１、２５−２、…、２５−ｎを受信する。
【００１４】
これらの信号は、適当なデジタル形式（たとえば、ＤＶ５０、ＡＰＥＧ２など）に変換された後に、たとえば、磁気ディスクなどのランダム・アクセス磁気記憶媒体４４に別々に記録される。同時に、テイク記憶システムは、入力４３−１、４３−２、…、４３−ｎで受信する状態表示における変更を使用して編集決定リスト（ＥＤＬ）を生成する。
【００１５】
図２に示されるのは、編集決定リスト・ファイル１００の一部分である。図示のように、このファイルは、複数の逐次的入力１１０−１、１１０−２、…、１１０−ｎからなる。各入力は、本質的に下記のフィールドを含む。
タイム・シグネチャ・フィールド１０１は、アクションの開始と制作の開始の間の時間的距離を時間・分・秒・フレームの形式で含む。
選択入力フィールド１０２は、ソース（またはそれに相当する出力が記録される磁気ディスク・ファイル）の数を含み、そこからの視点が制作のオリジナル（マスタ）内に含まれている。
遷移モード・フィールド１０３は、あり得る遷移モードのシリーズの１つを表現する数を含み、次の視点からである（この数字により表示されるように、カットまたはディゾルブであって、ここで０は、カットを意味し、≠０は、遷移期間を意味する）。
【００１６】
これらのファイルは、全て、その最終処理およびテレビ制作の決定的な編集済みマスタ・テープの生成のためにビデオ記録プロセッサ（ノン・リニア編集システム）５０で利用可能である。さらに、この編集決定リストは、「ＡＡＦ」、「ＭＸＦ」などの他の商用編集システムと互換性のある形式で編集決定リストをエクスポートできる。
【００１７】
本発明の特に好ましい実施例によれば、制御ステーションから遂行できる全ての記憶システム制御動作は、ＴＶセットにドロップ・ダウン・メニュの形式で表示可能であり、また制御位置からジョグ／シャトル制御ボックス６０により制御することができる。
【００１８】
本発明のもう１つの特に好ましい実施例によれば、ビデオ画像ソースからの一次資料は、記憶持続中に（例えば、テレビ連続ドラマのためのエピソード・シーン・テイク方式により、またはスポーツ・イベントの放送のためのイベント・パート・セグメント方式により）ツリー類似の構成で階層的に組織化される。この方法で、一次資料のサーチ手順が単純化される。
【００１９】
最後に、スポーツ・イベントのライブ放送に関係する更なる特別のケースにおいては、特定のインシデントについて定義されたタイム・インターバル（たとえば、±１０秒）のマーキングと階層的組織化について、好きなように記憶する能力が供給される。たとえば、特定のアプリケーションについて、「ゴール」、「ファウル」などとラベルされたボタンを制御ステーションで押すことにより、ボタンが押された瞬間の直前１０秒間および直後１０秒間についての編集決定リスト・ファイルが自動的に生成され、このコピーは、その記憶を引き起こしたボタンに従って、上述した階層的ツリー構造によりラベルされ、結局、このラベルを使用してサーチできる。
【００２０】
本発明による上記のＴＶ制作のための記録編集システムは、現在利用可能な類似システムに比較した場合に下記の長所を有する。
【００２１】
１．総合すると、このシステムは、単一アセンブリのＴＶ制作の視点選択および編集の機能を提供する。このシステムは、すべてのビデオ・ミキサと互換性がある。
【００２２】
２．改良された品質に関して、同一フォーマットのもとで、全ての動作が遂行される事実のために、ビデオ・カセットまたはテープからディスクへの転送が開始され、またアナログおよびデジタル形式の間または異なったデジタル・エンコーディングの間の変換によるあらゆる品質の劣化が回避される。
【００２３】
３．機能性に関して、編集は、並行的にまたは記録のあと非常に短い遅延以内で、遂行できる。これにより制作のデレクタは、シーンの最終形態を目で見ることができ、たとえば、シーンのテイクの再レコードなど直接の決定をすることができる。
【００２４】
４．柔軟性に関して、すべての視点のための共通タイム・ラインにより、変更（始点または他のソースの削除、追加、変更など）を直接に行うことができ、その結果を迅速に制御し修正できる。
【００２５】
５．全作業時間の削減に関し、編集決定リスト・ファイルの生成により、記録と平行して編集を遂行でき、一方、テイクから信号をデジタル形式に記憶する時間遅延も全くない。この削減は、好ましい実施例においては、作業日当たり１０時間から１２時間程度になり得る。
【００２６】
６．コスト削減に関して、これは、種々の要素から結果が得られる。一方、カメラから引き出される信号の記憶に関連するコスト（ビデオ・レコーダ、テープなどの獲得と維持のコスト）が何もなく、他方、生産性増加による生産の全ての面におけるコスト削減が存在する。
【００２７】
理解すべきは、本発明の上記の好ましい実施例は、特許請求の範囲に定義される範囲を限定するものではないことである。さらに当業者が本発明をその範囲内で変更し修正し遂行できることが予想される。
【図面の簡単な説明】
【００２８】
【図１】本発明によるＴＶ制作の記録編集システムの略図である。
【図２】図１のシステムにより生成される編集決定リストの一部分である。
【図１】
2006529068.tif 000003
【図２】
2006529068.tif 000004
【手続補正書】
【提出日】平成17年3月24日(2005.3.24)
【手続補正１】
【補正対象書類名】特許請求の範囲
【補正対象項目名】全文
【補正方法】変更
【補正の内容】
【特許請求の範囲】
【請求項１】
多重カメラによりＴＶ制作を記録し編集するシステム（１０）であって、
シーンまたは他のビデオ画像ソースの様々な視点（２１−１、２１−２、…、２１−ｎ）の出力を供給するビデオ画像の多重ソース（２２−１、２２−２、…、２２−ｎ）と、
入力信号セレクタ（３０）と、
データ記憶システム（４０）であって、多重ソースおよびビデオ・ミキサ（２０）とオーディオ・ミキサ（８０）からの全ての出力をランダム・アクセス磁気記憶媒体（４４）に記憶するテイク記憶システム（４０）と、
テイク記憶システムに記憶された資料を使用して、また適当なソフトウエアを使用してビデオ制作から編集済みフォームを生成するビデオ記憶エディタ（５０）とを含むシステム（１０）であって、
テイク記憶システム（４０）は、ビデオ・ミキサ（２０）から本来的かつ一般的に供給されるカメラ選択信号（２５−１、２５−２、…、２５−ｎ）を受信し、在来の電気信号調整以外には何の処理もせず、その信号を使用してビデオ記憶エディタ（５０）により直接に使用し、または互換性のある形式の外部処理システムに利用可能である編集決定リスト（１００）を生成するいことを特徴とする前記システム。
【請求項２】
請求項１記載のシステムであって、前記カメラ選択信号（２５−１、２５−２、…、２５−ｎ）は、前記ビデオ・ミキサ（２０）の「タリー出力」である前記システム。
【請求項３】
請求項１または２記載のシステムであって、前記編集決定リスト（１００）は、ソース間の遷移のモードに関する追加情報を含むことを特徴とする前記システム。
【請求項４】
請求項１から３記載のシステムであって、前記テイク記憶システム（４０）の制御機能は、全ての１つの制御ステーション（６０）から遂行され、いずれかのＴＶセットのドロップ・ダウン・メニュの形式で表示可能であり、制御ステーション（６０）からジョグ／シャトル制御ボックスにより制御されることを特徴とする前記システム。
【請求項５】
請求項１から４のいずれかに記載のシステムであって、前記ビデオ画像およびオーディオ・ソースから引き出される一次資料は、記憶時にツリー類似の構成で階層的に組織化されることを特徴とする前記記載のシステム。
【請求項６】
請求項１から４のいずれかに記載のシステムであって、特定のインシデントに関して定義されたタイム・インターバルのツリーの類似構成にラベルを付し階層的に組織化して、独立した編集決定リスト・ファイル（１００）の選択的記憶のためのポテンシャルを提供することを特徴とする前記システム。
【手続補正２】
【補正対象書類名】明細書
【補正対象項目名】０００６
【補正方法】変更
【補正の内容】
【０００６】
ヨーロッパ特許出願Ｎｏ.ＥＰ０４２４９０３Ａ２（ＮＥＣ）から、コンパクト・ディスクまたは類似の磁気記録媒体におけるビデオまたはオーディオ・データの組織化方法が知られる。この方法は、決定的かつ移動可能に記録されるデータおよび後制作段階跡の組織化に関係し、制作の配布段階に向けられ、なま制作および後編集段階に向けられていない。
ヨーロッパ特許出願Ｎｏ.０４３８２９９Ａ２（ソニー株式会社）は、後制作オフライン編集システムを説明する。これが生成する決定リストは、なま制作段階中になされた決定とは、全く無関係である。
米国特許Ｎｏ.５,３０７,４５６（Ｍｃｋｅｙ，Ｍ．Ｔ．）は、リアルタイムで情報を移送するデジタル通信網を含む総合マルチ・メディア制作・許可システムを開示する。このシステムは、特別に設計されたカメラを必要とし、通信網インターフェイス、通信信号エンコーディング／デコーディング・ハードウエアおよび／またはソフトウエアおよび／または通信回路網に挿入される特製のデバイス・トランスレータが含まれる。
【手続補正３】
【補正対象書類名】明細書
【補正対象項目名】０００７
【補正方法】変更
【補正の内容】
【０００７】
本発明の目的は、上記の不利な点を克服することである。特に、本発明は、特殊なトランスレータまたは汎用ビデオ記録編集装置をインターリンクする他の論理内臓デバイスの必要なしに、この編集装置を使用するＴＶ制作の記録編集システムを提案する。
さらに本発明は、全制作時間が著しく削減された、ＴＶ制作の記録および編集システムを提案する。
【手続補正４】
【補正対象書類名】明細書
【補正対象項目名】０００８
【補正方法】変更
【補正の内容】
【０００８】
さらになお本発明は、記録の編集の手順が大きく容易にされるＴＶ制作の記録および編集システムを提案する。
【手続補正５】
【補正対象書類名】明細書
【補正対象項目名】０００９
【補正方法】変更
【補正の内容】
【０００９】
最後に本発明は、改良された画像品質を与えるＴＶ制作の記録および編集システムを供給する。
【手続補正６】
【補正対象書類名】明細書
【補正対象項目名】００１０
【補正方法】変更
【補正の内容】
【００１０】
したがって、本発明は、多重カメラを有するＴＶ製作の記録および編集の総合システムからなり、
シーンまたは他のビデオ画像ソースの種々の視点の出力を供給するビデオ画像の多重ソースと、
入力信号セレクタと、
オプションとして多重出力チャネルを有するオーディオ・ミキサと、
ビデオ・ミキサであって、ビデオ画像の多重ソースから種々の視点を受け取って、入力信号セレクタにより選択されるソースの視点を出力において供給するビデオ・ミキサと、
多重ソースおよびビデオ・ミキサおよびオーディオ・ミキサからの出力の全てを１つのランダム・アクセス磁気記憶媒体上に記憶できるテイク記憶システムと、
テイク記憶システムに記憶された資料を使用し適当なソフトウエアを用いて、ビデオ制作の編集されたフォームを生成することができるビデオ記録エディタとを含み、
テイク記憶システムがビデオ・ミキサからビデオ・ミキサから本来的・一般的に供給されるカメラ選択信号を受信して、その信号を在来の電気信号調整以外には何の処理もせずに使用してビデオ記録エディタにより直接に使用可能な又は互換性のある形式の外部処理システムに利用可能な編集決定リストを形成することを特徴とする総合システムである。
【手続補正７】
【補正対象書類名】明細書
【補正対象項目名】００１２
【補正方法】変更
【補正の内容】
【００１２】
ビュー・セレクタ３０の１つの点は、これらの出力信号２１−１、２１−２、…、２１−ｎの間から、制作のオリジナルに使用される１つを選択する。選択された出力は、ビデオ・ミキサ２０から信号出力２３として送信される。同時に、ビデオ・ミキサ２０は、さらに全てのカメラ（または他のビデオ・ソース）２２−１、２２−２、…、２２−ｎから出力信号２４−１、２４−２、…、２４−ｎを送信する。さらに、ビデオ・ミキサは、各ビデオ・カメラ２５−１、２５−２、…、２５−ｎについて、状態表示（「タリー出力」、選択／非選択／遷移）を、送信する。このシステムは、一般的に、多重出力チャネルを有するオーディオ・ミキサ８０を含む。
【手続補正８】
【補正対象書類名】図面
【補正対象項目名】全図
【補正方法】変更
【補正の内容】
【図１】
2006529068.tif 000005
【図２】
2006529068.tif 000006
【国際調査報告】
2006529068.tif 000007
2006529068.tif 000008
2006529068.tif 000009